(57)【特許請求の範囲】
【請求項１】
第１の電子キー、または、第２のコンピュータから伝達情報を含む無線信号を受け取る受信部と、
前記無線信号に含まれる伝達情報に基づいて、指定されたコンピュータまたは人に対する離席情報を作成し、前記指定されたコンピュータまたは人に対する離席表示を第３のコンピュータにさせるための新たな伝達情報を作成し、シャットダウンまたは休止を行う本体部と、
前記離席情報を一定時間表示する表示部と、
前記新たな伝達情報を含む無線信号を前記第３のコンピュータに向けて発信する送信部と、
を備える第１のコンピュータを、
含むことを特徴とするコンピュータ通信システム。
【請求項２】
無線信号が特定小電力無線であり、前記受信部、および、前記送信部が特定小電力無線に対応することを特徴とする請求項１のコンピュータ通信システム。
【請求項３】
前記第２のコンピュータ、および、前記第３のコンピュータを含むことを特徴とする請求項１、または、２のコンピュータ通信システム。
【請求項４】
前記第１のコンピュータまたは人に対応する離席表示をさせるための前記伝達情報を含む無線信号を前記第１のコンピュータに向けて発信する前記第１の電子キーを含むことを特徴とする請求項１、または、２のコンピュータ通信システム。
【請求項５】
前記第１のコンピュータまたは人に対応する離席表示をさせるための前記伝達情報を含む無線信号を前記第１のコンピュータに向けて発信する前記第１の電子キーと、
前記第２のコンピュータまたはそれに対応する人に対応する離席表示をさせるための前記伝達情報を含む無線信号を前記第２のコンピュータに向けて発信する前記第２の電子キーと、
前記第３のコンピュータまたは人に対応する離席表示をさせるための前記伝達情報を含む無線信号を前記第３のコンピュータに向けて発信する前記第３の電子キーと、
を含むことを特徴とする請求項３のコンピュータ通信システム。
【請求項６】
第１の他の電子装置から特定の電子機器に対応する動作元識別情報を含む無線信号を受け取り、前記情報元識別情報および付加情報を一定時間表示し、第２の他の電子装置に向けて前記動作元識別情報、および表示指示を含む第２の情報を含む無線信号を発信することを特徴とする電子機器。
【請求項７】
第１の他のコンピュータ、または、周辺デバイスから、動作元となるコンピュータまたは人を識別するための識別情報を含む伝達情報を含む無線信号を受け取る受信部と、
前記伝達情報に含まれる識別情報に基づいて、前記動作元となるコンピュータまたは人に対する離席情報を作成し、前記動作元となるコンピュータまたは人に対する離席表示を、第２の他のコンピュータに対してさせるための情報を含む新たな伝達情報を作成し、シャットダウンまたは休止を行う本体部と、
前記離席情報を一定時間表示する表示部と、
前記新たな伝達情報を含む無線信号を前記第２の他のコンピュータに向けて発信する送信部と、
を備えるコンピュータ。
【請求項８】
第１の電子キー、または、第２のコンピュータから伝達情報を含む無線信号を受け取り、
前記無線信号に含まれる伝達情報に基づいて、指定されたコンピュータまたは人に対する離席情報を作成し、前記指定されたコンピュータまたは人に対する離席表示を第３のコンピュータにさせるための新たな伝達情報を作成し、シャットダウンまたは休止を行い、
前記離席情報を一定時間表示し、
前記新たな伝達情報を含む無線信号を前記第３のコンピュータに向けて発信する、
ことを特徴とするコンピュータ通信方法。
【請求項９】
無線信号が特定小電力無線であり、受信、送信を特定小電力無線で行うことを特徴とする請求項８のコンピュータ通信方法。
【請求項１０】
電子キー、または、コンピュータからの伝達情報に基づいて、指定されたコンピュータまたは人に対する離席情報を作成し、前記指定されたコンピュータまたは人に対する離席表示を一定時間表示させるための新たな伝達情報を作成し、シャットダウンまたは休止を行うことを特徴とするプログラム。
【発明の詳細な説明】
【技術分野】
【０００１】
本発明は、コンピュータ通信システム、電子機器、コンピュータ、コンピュータ通信方法、および、プログラムに関する。
【背景技術】
【０００２】
無線遠隔制御装置の技術の一例が特許文献１に記載されている。特許文献１の技術は、ノート型コンピュータの電源スイッチを制御する無線遠隔制御装置に関するものである。
【０００３】
この無線遠隔制御装置は、タッチパッド、グライドパッド、および、放射装置を有し、人の操作にしたがって、ノート型コンピュータの電源スイッチを制御する。
【０００４】
また、電子キーの技術の一例が特許文献２に記載されている。特許文献２の技術は、建物、および、自動車で共用可能な電子キーを備える統合管理システムに関するものである。この電子キーは、人の操作にしたがって、施錠、解錠の指示を建物のコントローラに送信する。建物のコントローラは、この指示によりドアの施錠、解錠を実施する。
【０００５】
また、行き先表示の技術の一例が特許文献３に記載されている。特許文献３の技術は、ネットワークで接続されたパソコンとそれを利用するための情報記録媒体に関するものである。この情報記録媒体には利用者自身のパソコンを示すコードが記録されており、他のパソコンで記録媒体を利用すると、ネットワークを介して、現在利用している他のパソコンの場所を示す情報が利用者自身のパソコンに表示される。
【先行技術文献】
【特許文献】
【０００６】
【特許文献１】特開２００３−５８７０号公報
【特許文献２】特開２００７−２５５０９４号公報
【特許文献３】特開２００８−１６００７号公報
【発明の概要】
【発明が解決しようとする課題】
【０００７】
特許文献１、２、３記載の技術には、利用者が電子キー等の電子機器を操作することでは、離席表示を複数のコンピュータ等の電子機器に対してできないという問題点があった。
【０００８】
その理由は、あるコンピュータが他のコンピュータを無線遠隔制御ができないからである。
【０００９】
本発明の目的は、上記問題点を解決するコンピュータ通信システム、電子機器、コンピュータ、コンピュータ通信方法、および、プログラムを提供することである。
【課題を解決するための手段】
【００１０】
本発明のコンピュータ通信システムは、
第１の電子キー、または、第２のコンピュータから伝達情報を含む無線信号を受け取る受信部と、
前記無線信号に含まれる伝達情報に基づいて、指定されたコンピュータまたは人に対する離席情報を作成し、前記指定されたコンピュータまたは人に対する離席表示を第３のコンピュータにさせるための新たな伝達情報を作成し、シャットダウンまたは休止を行う本体部と、
前記離席情報を表示する表示部と、
前記新たな伝達情報を含む無線信号を前記第３のコンピュータに向けて発信する送信部と、
を備える第１のコンピュータを含む。
【００１１】
本発明の電子機器は、第１の他の電子装置から特定の電子機器に対応する動作元識別情報を含む無線信号を受け取り、前記情報元識別情報および付加情報を表示し、第２の他の電子装置に向けて前記動作元識別情報、および表示指示を含む第２の情報を含む無線信号を発信する。
【００１２】
本発明のコンピュータは、第１の他のコンピュータ、または、周辺デバイスから、動作元となるコンピュータまたは人を識別するための識別情報を含む伝達情報を含む無線信号を受け取る受信部と、
前記伝達情報に含まれる識別情報に基づいて、前記動作元となるコンピュータまたは人に対する離席情報を作成し、前記動作元となるコンピュータまたは人に対する離席表示を、第２の他のコンピュータに対してさせるための情報を含む新たな伝達情報を作成し、シャットダウンまたは休止を行う本体部と、
前記離席情報を表示する表示部と、
前記新たな伝達情報を含む無線信号を前記第２の他のコンピュータに向けて発信する送信部と、を備える。
【００１３】
本発明のコンピュータ通信方法は、
第１の電子キー、または、第２のコンピュータから伝達情報を含む無線信号を受け取りバイナリデータに変換し、
前記バイナリデータの伝達情報に基づいて、指定されたコンピュータまたは人に対する離席情報を作成し、前記指定されたコンピュータまたは人に対する離席表示をさせるための新たな伝達情報を作成し、シャットダウンまたは休止を行い、
前記離席情報を表示し、
前記新たな伝達情報を含む無線信号を第３のコンピュータに向けて発信する。
【００１４】
本発明のプログラムは、
電子キー、または、コンピュータからの伝達情報に基づいて、指定されたコンピュータまたは人に対する離席情報を作成し、前記指定されたコンピュータまたは人に対する離席表示をさせるための新たな伝達情報を作成し、シャットダウンまたは休止を行う。
【発明の効果】
【００１５】
本発明の効果は、利用者が電子機器を操作することにより、離席表示を複数の電子機器に対し簡単にできることである。
【図面の簡単な説明】
【００１６】
【図１】本発明の第１の実施の形態の構成を示すブロック図である。
【図２】無線信号の内容を示す説明図である。
【図３】本発明の第１の実施の形態の動作を示すフローチャートである。
【図４】表示の例を示す説明図である。
【図５】本発明の第２の実施の形態の構成を示すブロック図である。
【図６】本発明の第２の実施の形態の動作を示すフローチャートである。
【図７】本発明の第３の実施の形態の構成を示すブロック図である。
【図８】本発明の第４の実施の形態の電子キーの概略を示す構成図である。
【図９】本発明の第４の実施の形態の動作を示すフローチャートである。
【図１０】本発明の第５の実施の形態の電子キーの概略を示す構成図である。
【図１１】本発明の第５の実施の形態の動作を示すフローチャートである。
【図１２】本発明の第６の実施の形態の構成を示すブロック図である。
【図１３】本発明の第７の実施の形態の構成を示すブロック図である。
【発明を実施するための形態】
【００１７】
次に、本発明の第１の実施の形態について図面を参照して詳細に説明する。
【００１８】
図１は、第１の実施の形態の構成を示すブロック図である。図１を参照すると、第１の実施の形態のコンピュータ通信システム１００は、第１のコンピュータ１１０を含む。第１のコンピュータ１１０は、受信部１１１、本体部１１２、送信部１１３、および、表示部１１４を含む。
【００１９】
本体部１１２は、通常のコンピュータと同様の機能をもち、プログラムを実行する。表示部１１４は、たとえば、ディスプレイ等である。
【００２０】
受信部１１１は、電子キー（または、第２のコンピュータ）からの無線信号を受信し、バイナリデータに変換し、本体部１１２に出力する。たとえば、バイナリデータは、割り込みの種類を示す割り込み情報でよい。受信部１１１は、たとえば、無線信号の内容により、異なる割り込み処理が実施されるようにそれぞれの割り込み情報を作成する。
【００２１】
図２は、無線信号の内容を示す説明図である。図２を参照すると、無線信号は、動作の種別を示す動作種別情報、動作元識別情報、および、コンピュータを特定する宛先識別情報（これらを３種を総称して、伝達情報と呼ぶ）を含む。
【００２２】
動作の種別は、たとえば、シャットダウン（電源オフ）、休止、または、離席表示である。たとえば、休止とは、コンピュータが低電力で動作し、表示部１１４への表示を停止する状態、あるいは、休止とは、状態をハードディスク等に保存し、電源オフになる状態である。シャットダウンは、元の状態には戻れないが、休止状態では、復旧が短時間で実行できる。
【００２３】
次に、第１の実施の形態の動作について図面を参照して詳細に説明する。図３は、第１の実施の形態の動作を示すフローチャートである。
【００２４】
第１のコンピュータ１１０の受信部１１１が、無線信号を受け取ると（図３ステップＳ１）、内部に記憶している自身を識別する自識別情報と電子キー（または、第２のコンピュータ）からの宛先識別情報とを比較する（ステップＳ２）。比較結果が一致であれば（ステップＳ２／一致）、動作種別情報にしたがってバイナリデータである割り込み情報（動作種別情報、および、動作元識別情報を含む）を生成して本体部１１２に出力する（ステップＳ３）。
【００２５】
本体部１１２は、受信部１１１からの割り込み情報を入力すると、たとえば、割り込み用ＬＳＩで受け取り、対応する割り込み処理ルーチンを実行する。
【００２６】
離席表示に対応する割り込み処理ルーチンは、離席情報（動作元識別情報に対応するコンピュータ、または、人が「離席状態」であることを示す情報）を作成し、表示部１１４に一定時間表示する（ステップＳ４）。動作元識別情報と「コンピュータ、または、人」との対応は、事前に、本体部１１２において設定されている。
【００２７】
ここで、「動作元識別情報に対応するコンピュータ」は、たとえば、電子キーに対応するコンピュータであり、「人」は、その電子キーを使用する人、すなわち、「動作元識別情報に対応するコンピュータ」を通常使用する人である。
【００２８】
図４は、表示の例を示す説明図である。図４を参照すると、離席表示の表示内容（離席情報）は、たとえば、「××××（人名）は、離席します。」である。
【００２９】
また、離席表示に対応する割り込み処理ルーチンは、離席表示を示す離席表示指示情報、および、第３のコンピュータを特定する宛先識別情報を生成し（ステップＳ５）、送信部１１３に出力する。離席表示指示情報は、さらに、電子キー（または、第２のコンピュータ）からの動作元識別情報を含む。また、第３のコンピュータを特定する宛先識別情報は、事前に、外部から、設定されることが可能である。宛先識別情報が設定されていない場合もある。
【００３０】
送信部１１３は、離席表示指示情報から離席表示を示す動作種別情報、および動作元識別情報を生成する。次に、送信部１１３は、動作種別情報、動作元識別情報、および、宛先識別情報を含む無線信号を生成し、第３のコンピュータに向けて発信する（ステップＳ６）。ここで、宛先識別情報が設定されていない場合には、無線信号は、発信されない。
【００３１】
次に、動作の種別がシャットダウン、または、休止である場合について説明する。
【００３２】
本体部１１２は、シャットダウン、または、休止に対応する割り込み処理ルーチンを実行する。シャットダウン、または、休止に対応する割り込み処理ルーチンは、まず、離席表示の動作と同一の動作（ステップＳ４〜ステップＳ６）を実施する。次に、シャットダウン、または、休止に対応する割り込み処理ルーチンは、第１のコンピュータ１１０に、それぞれ、シャットダウン、または、休止を実施する（ステップＳ７）。
【００３３】
以上において、割り込み処理ルーチンを１つにして内部で、シャットダウン、休止、または、離席表示の処理に分岐する構成も可能である。また、シャットダウン、または、休止の動作では、離席表示を実施しない構成も可能である。また、割り込み処理ルーチンが全ての処理を実行するのではなくて、他のプログラムに処理を渡す構成も可能である。また、暗号化した無線信号を使用してもよい。
【００３４】
また、電子キーは、自動車等の電子キーとの兼用が可能である。また、無線としては、特定小電力無線（たとえば、３１５［ＭＨｚ］帯）を適用することが可能である。符号化方式としては、たとえば、マンチェスタデータ符号化方式が適用可能である。また、第２のコンピュータと第３のコンピュータとは、同一であってよい。
【００３５】
次に、第１の実施の形態の効果について説明する。
【００３６】
第１の実施の形態は、あるコンピュータが、他のコンピュータまたは電子キーからの動作種別情報、動作元識別情報、および、宛先識別情報を含む無線信号を受け取り、離席表示を行う構成である。また、あるコンピュータが、他のコンピュータに、動作種別情報、動作元識別情報、および、宛先識別情報を含む無線信号に発信し、他のコンピュータに離席表示をさせる構成である。
【００３７】
したがって、第１の実施の形態は、利用者が電子キーを操作することにより、離席表示を複数のコンピュータに対し簡単にできるという効果をもつ。
【００３８】
また、第１の実施の形態は、あるコンピュータが電子キーからの動作種別情報、動作元識別情報、および、宛先識別情報を含む無線信号を受け取り、離席表示の後に、シャットダウン、または、休止を行う構成である。
【００３９】
したがって、利用者が電子キーを操作することにより、コンピュータのシャットダウン、または、休止を簡単にできるという効果をもつ。
【００４０】
また、第１の実施の形態に特定小電力無線を適用する構成においては、安全性が高いという効果がある。なぜなら、特定小電力無線は、送信電力が小さいので、信号の到達距離が短く、外部に情報が漏れにくいからである。また、なぜなら、通常のＬＡＮ（ローカルエリアネットワーク）のように通信が混み合うことがないからである。
【００４１】
さらに、第１の実施の形態に特定小電力無線を適用する構成においては、安価であるという効果がある。なぜなら、ルータ等のホストマシンを備える必要がないからである。
【００４２】
次に、本発明の第２の実施の形態について図面を参照して詳細に説明する。
【００４３】
図５は、第２の実施の形態の構成を示すブロック図である。図５を参照すると、第２の実施の形態のコンピュータ通信システム２００は、第１の実施の形態の第１のコンピュータ１１０に加え、第２のコンピュータ１２０、第３のコンピュータ１３０、および、第４のコンピュータ１４０を含む。
【００４４】
第１のコンピュータ１１０〜第４のコンピュータ１４０は、無線信号を送受信できる。また、第１のコンピュータ１１０〜第４のコンピュータ１４０は、それぞれに対応する電子キーから無線信号を受け取ることができる。
【００４５】
第１のコンピュータ１１０は、第３のコンピュータ１３０に向けて無線信号を発信するように設定される。第３のコンピュータ１３０は、第４のコンピュータ１４０に向けて無線信号を発信するように設定される。第２のコンピュータ１２０は、第１のコンピュータ１１０に向けて無線信号を発信するように設定される。
【００４６】
第２のコンピュータ１２０、第３のコンピュータ１３０、および、第４のコンピュータ１４０は、第１のコンピュータ１１０と同様に、受信部１１１、本体部１１２、送信部１１３、および、表示部１１４を含む。
【００４７】
次に、第２の実施の形態の動作について図面を参照して詳細に説明する。図６は、第２の実施の形態の動作を示すフローチャートである。
【００４８】
電子キーから第１のコンピュータ１１０に向けてシャットダウンを指示する無線信号が発信された場合について説明する。第１のコンピュータ１１０は、電子キーから無線信号を受け取ると、自識別情報と電子キーからの宛先識別情報とを比較する（図６ステップＴ１１）。
【００４９】
比較結果が一致であれば（ステップＴ１１／一致）、第１のコンピュータ１１０は、離席表示を実施する（ステップＴ１２）。また、動作種別情報（離席表示を指示する）、動作元識別情報（第１のコンピュータ１１０に対応する）、および、宛先識別情報（第３のコンピュータ１３０を示す）を含む無線信号を発信する（ステップＴ１３）。次に、第１のコンピュータ１１０は、シャットダウンを実施する（ステップＴ１４）。
【００５０】
ここで、ステップＴ１１〜ステップＴ１４は、第１の実施の形態のステップＳ２〜ステップＳ７に相当する。
【００５１】
第３のコンピュータ１３０は、第１のコンピュータ１１０から、無線信号を受け取ると、自識別情報と電子キーからの宛先識別情報とを比較する（ステップＴ３１）。
【００５２】
比較結果が一致であれば（ステップＴ３１／一致）、第３のコンピュータ１３０は、第１のコンピュータ１１０またはそれに対応する人を示す離席表示を実施する（ステップＴ３２）。また、第４のコンピュータ１４０に向けて動作種別情報（離席表示を指示する）、動作元識別情報（第１のコンピュータ１１０に対応する）、および、宛先識別情報を含む無線信号を発信する（ステップＴ３３）。
【００５３】
ここで、ステップＴ３１〜ステップＴ３３は、第１の実施の形態のステップＳ２〜ステップＳ６に相当する。
【００５４】
以下、このようにして、さらに、第４のコンピュータ１４０、第２のコンピュータ１２０に、順次、第１のコンピュータ１１０またはそれに対応する人を示す離席表示を実施することができる。
【００５５】
第１のコンピュータ１１０〜第４のコンピュータ１４０は、ある一定時間以内に、同一のコンピュータまたはそれに対応する人を示す離席表示等をしないように制御することが可能である。たとえば、これは、コンピュータまたはそれに対応する人を示す離席表示を内部に記憶しておき、新たな離席表示と比較することで可能となる。これにより、同一の離席表示を複数回実施するのを防ぐことができる。
【００５６】
以上は、コンピュータが４台の場合について説明したが、コンピュータの台数に制限はない。２台以上が可能である。
【００５７】
次に、第２の実施の形態の効果について説明する。
【００５８】
第２の実施の形態は、複数のコンピュータが順次、動作種別情報、動作元識別情報、および、宛先識別情報を含む無線信号を受け取り、離席表示を行う構成である。また、複数のコンピュータが順次、動作種別情報、動作元識別情報、および、宛先識別情報を含む無線信号に発信し、複数のコンピュータに順次、離席をさせる構成である。
【００５９】
したがって、第２の実施の形態は、利用者が電子キーを１回操作することにより、離席表示を順次、複数のコンピュータに対し簡単にできるという効果をもつ。
【００６０】
また、第２の実施の形態は、それぞれのコンピュータが電子キーからの動作種別情報、動作元識別情報、および、宛先識別情報を含む無線信号を受け取り、離席表示の後に、シャットダウン、または、休止を行う構成である。
【００６１】
したがって、利用者が電子キーを操作することにより、コンピュータのシャットダウン、または、休止を簡単にできるという効果をもつ。
【００６２】
また、第２の実施の形態に特定小電力無線を適用する構成においては、安全性が高いという効果がある。なぜなら、特定小電力無線は、送信電力が小さいので、信号の到達距離が短く、外部に情報が漏れにくいからである。また、なぜなら、通常のＬＡＮのように通信が混み合うことがないからである。
【００６３】
さらに、第２の実施の形態に特定小電力無線を適用する構成においては、安価であるという効果がある。なぜなら、ルータ等のホストマシンを備える必要がないからである。
【００６４】
次に、本発明の第３の実施の形態について図面を参照して詳細に説明する。
【００６５】
図７は、第３の実施の形態の構成を示すブロック図である。図７を参照すると、第３の実施の形態のコンピュータ通信システム３００は、第２の実施の形態の構成に加え、人の操作で動作する電子キー１９１、電子キー１９２、電子キー１９３、および、電子キー１９４を含む。
【００６６】
電子キー１９１は、動作識別情報、第１のコンピュータ１１０またはそれに対応する人を示す動作元識別情報、および第１のコンピュータ１１０を特定する宛先識別情報を含む無線信号を発信する。電子キー１９２は、動作識別情報、第２のコンピュータ１２０またはそれに対応する人を示す動作元識別情報、および第２のコンピュータ１２０を特定する宛先識別情報を含む無線信号を発信する。
【００６７】
電子キー１９３は、動作識別情報、第３のコンピュータ１３０またはそれに対応する人を示す動作元識別情報、および第３のコンピュータ１３０を特定する宛先識別情報を含む無線信号を発信する。電子キー１９４は、動作識別情報、第４のコンピュータ１４０またはそれに対応する人を示す動作元識別情報、および、第４のコンピュータ１４０を特定する宛先識別情報を含む無線信号を発信する。
【００６８】
次に、第３の実施の形態の動作について詳細に説明する。
【００６９】
たとえば、電子キー１９１からシャットダウンを示す動作識別情報等を含む無線信号が発信されると、まず、第１のコンピュータ１１０が、第１のコンピュータ１１０またはそれに対応する人が離席状態であることを示す離席表示を行う。次に、第１のコンピュータ１１０は、第３のコンピュータ１３０に無線信号を発信し、自身のシャットダウンを実施する。
【００７０】
さらに、第３のコンピュータ１３０、第４のコンピュータ１４０、および、第２のコンピュータ１２０は、順次、第１のコンピュータ１１０またはそれに対応する人が離席状態であることを示す離席表示を行う。
【００７１】
以上では、第２の実施の形態の構成に加え、電子キー１９１、電子キー１９２、電子キー１９３、および、電子キー１９４を含む場合について説明したが、第１の実施の形態に加えて、電子キー１９１を含む構成も可能である。
【００７２】
次に、第３の実施の形態の効果について説明する。
【００７３】
第３の実施の形態は、それぞれの電子キーから複数のコンピュータが順次、動作種別情報、動作元識別情報、および、宛先識別情報を含む無線信号を受け取り、離席表示を行う構成である。また、複数のコンピュータが順次、動作種別情報、動作元識別情報、および、宛先識別情報を含む無線信号に発信し、複数のコンピュータに順次離席をさせる構成である。
【００７４】
したがって、第３の実施の形態は、利用者が電子キーを１回操作することにより、離席表示を順次、複数のコンピュータに対し簡単にできるという効果をもつ。
【００７５】
また、第３の実施の形態は、それぞれのコンピュータが電子キーからの動作種別情報、動作元識別情報、および、宛先識別情報を含む無線信号を受け取り、離席表示の後に、シャットダウン、または、休止を行う構成である。
【００７６】
したがって、利用者が電子キーを操作することにより、それぞれのコンピュータのシャットダウン、または、休止を簡単にできるという効果をもつ。
【００７７】
また、第３の実施の形態に特定小電力無線を適用する構成においては、安全性が高いという効果がある。なぜなら、特定小電力無線は、送信電力が小さいので、信号の到達距離が短く、外部に情報が漏れにくいからである。また、なぜなら、通常のＬＡＮのように通信が混み合うことがないからである。
【００７８】
さらに、第３の実施の形態に特定小電力無線を適用する構成においては、安価であるという効果がある。なぜなら、ルータ等のホストマシンを備える必要がないからである。
【００７９】
次に、本発明の第４の実施の形態について図面を参照して詳細に説明する。
【００８０】
第４の実施の形態は、第３の実施の形態の電子キー１９１（〜電子キー１９４）に特徴を付加した構成である。図８は、第４の実施の形態の電子キー１９１の概略を示す構成図である。図８を参照すると、電子キー１９１は、制御部１５１、記憶部１６１、送信部１７１、および、ボタン１８１を含む。電子キー１９２〜電子キー１９４も同一構成が可能である。
【００８１】
次に、第４の実施の形態の動作について図面を参照して詳細に説明する。
【００８２】
図９は、第４の実施の形態の動作を示すフローチャートである。特に、電子キー１９１に関して説明する。ボタン１８１が押下されると（図９ステップＫ１）、制御部１５１は、ボタン１８１が一定時間以上連続で押下されたかどうかを検出する（ステップＫ２）。
【００８３】
ボタン１８１が一定時間以上連続で押下された場合（ステップＫ２／ＹＥＳ）、制御部１５１は、記憶部１６１から動作種別情報、動作元識別情報、および、宛先識別情報を読み出し（ステップＫ４）、送信部１７１に出力する。動作種別情報は、たとえば、シャットダウン、または、休止を示す。動作元識別情報は、電子キー１９１と対応する第１のコンピュータ１１０または人を示す。宛先識別情報は、電子キー１９１と対応する第１のコンピュータ１１０を示す。
【００８４】
次に、送信部１７１は、動作種別情報、動作元識別情報、および、宛先識別情報を含む無線信号を生成し、第１のコンピュータ１１０に向けて発信する（ステップＫ５）。
【００８５】
ボタン１８１が一定時間以上連続で押下されなかった場合（ステップＫ２／ＮＯ）、他の処理を実行する（ステップＫ３）。たとえば、自動車のドアのロックを解除するために自動車に向けて無線信号を発信する。
【００８６】
無線信号を受け取った第１のコンピュータ１１０〜第４のコンピュータ１４０の動作は、第３の実施の形態と同一である。
【００８７】
自動車と第１のコンピュータ１１０とに、同一内容の無線信号を発信し、受け取った側が、それぞれ対応する動作を実施する構成も可能である。
【００８８】
次に第４の実施の形態の効果について説明する。
【００８９】
第４の実施の形態は、第３の実施の形態の構成を含むので、上述した第３の実施の形態のもつ効果をもつ。
【００９０】
さらに、第４の実施の形態は、電子キーのボタンが一定時間連続で押下された場合と、それ以外とで、異なる処理を実現する構成を含む。したがって、電子キーの機能が高度になり、使用者の使い勝手が向上するという効果をもつ。
【００９１】
次に、本発明の第５の実施の形態について図面を参照して詳細に説明する。
【００９２】
第５の実施の形態は、第４の実施の形態の電子キー１９１がボタン１８１の替わりにボタン１８２、ボタン１８３を含む構成である。図１０は、第５の実施の形態の電子キー１９１の概略を示す構成図である。図１０を参照すると、電子キー１９１は、制御部１５１、記憶部１６１、送信部１７１、ボタン１８２、および、ボタン１８３を含む。電子キー１９２〜電子キー１９４も同一構成が可能である。
【００９３】
記憶部１６１には、異なる領域に、ボタン１８２、ボタン１８３に対応する動作種別情報、動作元識別情報、および、宛先識別情報が保持される。ただし、動作元識別情報、および、宛先識別情報は、同一でよい。ボタン１８２に対応する動作種別情報は、たとえば、メッセージ「すぐ戻ります」を含む離席表示を行う休止を示す。また、ボタン１８３に対応する動作種別情報は、たとえば、メッセージ「外出です」を含む離席表示を行う休止を示す。
【００９４】
次に、第５の実施の形態の動作について図面を参照して詳細に説明する。図１１は、第５の実施の形態の動作を示すフローチャートである。特に、電子キー１９１に関して説明する。ボタン１８２、または、ボタン１８３が押下されると（図１１ステップＫ１１）、制御部１５１は、それらが一定時間以上連続で押下されたかどうかを検出する（ステップＫ１２）。
【００９５】
ボタン１８２、または、ボタン１８３が一定時間以上連続で押下された場合（ステップＫ１２／ＹＥＳ）、制御部１５１は、記憶部１６１からボタン１８２、または、ボタン１８３に対応する動作種別情報、動作元識別情報、および、宛先識別情報を読み出し（ステップＫ１４）、送信部１７１に出力する。動作元識別情報は、電子キー１９１と対応する第１のコンピュータ１１０または人を示す。宛先識別情報は、電子キー１９１と対応する第１のコンピュータ１１０を示す。
【００９６】
次に、送信部１７１は、動作種別情報、動作元識別情報、および、宛先識別情報を含む無線信号を生成し、第１のコンピュータ１１０に向けて発信する（ステップＫ１５）。
【００９７】
ボタン１８２、または、ボタン１８３が一定時間以上連続で押下されなかった場合（ステップＫ１２／ＮＯ）、他の処理を実行する（ステップＫ１３）。たとえば、自動車のドアのロックを解除するために自動車に向けて無線信号を発信する。
【００９８】
無線信号を受け取った第１のコンピュータ１１０〜第４のコンピュータ１４０の動作は、第４の実施の形態と同一であるが、メッセージ「すぐ戻ります」、または、「外出です」を含む離席表示を行う。
【００９９】
以上では、ボタン１８２、または、ボタン１８３を長く押すことで動作を区別した。ボタンを押す時間や回数を変えることで、長押しの場合は「外出」、短く押した場合は「帰宅」、２回連続で短く押した場合は「食事」などというように、離席表示以外の表示も可能である。
【０１００】
次に第５の実施の形態の効果について説明する。
【０１０１】
第５の実施の形態は、第４の実施の形態の構成を含むので、上述した第４の実施の形態のもつ効果をもつ。
【０１０２】
さらに、第５の実施の形態は、電子キーが複数のボタンを備える構成である。したがって、第４の実施の形態よりも電子キーの機能が高度になり、さらに、使用者の使い勝手が向上するという効果をもつ。
【０１０３】
次に、本発明の第６の実施の形態について図面を参照して詳細に説明する。
【０１０４】
図１２は、第６の実施の形態の構成を示すブロック図である。図１２を参照すると、第６の実施の形態の電子装置０５０は、第１の他の電子装置から第１の情報を含む無線信号を受け取り、第２の他の電子装置に向けて第２の情報を含む無線信号を発信する。
【０１０５】
この第１の情報は、「特定の電子装置に対応する動作元識別情（たとえば、特定の電子装置の識別情報、あるいは、前記特定の電子装置対応する人名）」を含む。ここで、第１の他の電子機器と第２の他の電子機器とは同一のものであってもよい。
【０１０６】
電子機器０５０とは、たとえば、制御装置、コンピュータ等である。また、第１の他の電子装置とは、たとえば、周辺デバイス、制御装置、コンピュータ等である。また、第２の他の電子装置とは、制御装置、コンピュータ等である。
【０１０７】
次に、第６の実施の形態の動作について説明する。
【０１０８】
電子装置０５０は、第１の情報を含む無線信号を受け取ると、「特定の電子装置に対応する動作元識別情報」、および、付加情報を表示する。付加情報は、たとえば、離席をすることを示す情報である。また、電子装置０５０は、第２の情報に「特定の電子装置に対応する動作元識別情報」およびそれを表示するための動作指示を含ませる。
【０１０９】
ここで、特定の電子装置は、電子装置０５０であってよい。また、第１の情報が、シャットダウン、または、休止の動作指示を含む構成が可能である。電子装置０５０は、この動作指示にしたがい、自身のシャットダウン、または、休止を行う。
【０１１０】
次に、第６の実施の形態の効果について説明する。
【０１１１】
第６の実施の形態は、電子機器０５０が第１の他の電子機器からの「特定の電子装置に対応する動作元識別情報」を表示し、第２の他の電子機器に「特定の電子装置に対応する動作元識別情報」を表示させる構成である。したがって、第６の実施の形態は、「特定の電子装置に対応する動作元識別情報」を複数の電子機器に対し簡単にできるという効果をもつ。
【０１１２】
また、第６の実施の形態は、無線信号を受け取り、シャットダウン、または、休止を行う構成では、コンピュータのシャットダウン、または、休止を簡単にできるという効果をもつ。
【０１１３】
次に、本発明の第７の実施の形態について図面を参照して詳細に説明する。
【０１１４】
図１３は、第７の実施の形態の構成を示すブロック図である。図１３を参照すると、第７の実施は、第１の実施の形態の第１のコンピュータ１１０を含む。ただし、第１のコンピュータ１１０は、周辺デバイス（たとえば、電子キー、リモートコントロール機器）、または、第２のコンピュータから無線信号を受け取る。
【０１１５】
次に、第７の実施の形態の動作について詳細に説明する。
【０１１６】
第７の実施の形態の第１のコンピュータ１１０は、周辺デバイス（たとえば、電子キー、リモートコントロール機器）、または、第２のコンピュータから無線信号を受け取る以外は、第１の実施の形態の動作と同一である。すなわち、第７の実施の形態の第１のコンピュータ１１０の動作は、図３に示される。
【０１１７】
次に、第７の実施の形態の効果について説明する。
【０１１８】
第７の実施の形態は、あるコンピュータが、他のコンピュータまたは周辺デバイスからの動作種別情報、動作元識別情報、および、宛先識別情報を含む無線信号を受け取り、離席表示を行う構成である。また、あるコンピュータが、他のコンピュータに、動作種別情報、動作元識別情報、および、宛先識別情報を含む無線信号に発信し、他のコンピュータに離席表示をさせる構成である。
【０１１９】
したがって、第７の実施の形態は、利用者が周辺デバイスを操作することにより、離席表示を複数のコンピュータに対し簡単にできるという効果をもつ。
【０１２０】
また、第７の実施の形態は、あるコンピュータが周辺デバイスからの動作種別情報、動作元識別情報、および、宛先識別情報を含む無線信号を受け取り、離席表示の後に、シャットダウン、または、休止を行う構成である。
【０１２１】
したがって、利用者が周辺デバイスを操作することにより、コンピュータのシャットダウン、または、休止を簡単にできるという効果をもつ。
【０１２２】
上記の実施の形態の一部、または、全部は、以下の付記のようにも記載されうるが、以下には限られない。
【０１２３】
（付記１）
第１の電子キー、または、第２のコンピュータから伝達情報を含む無線信号を受け取る受信部と、
前記無線信号に含まれる伝達情報に基づいて、指定されたコンピュータまたは人に対する離席情報を作成し、前記指定されたコンピュータまたは人に対する離席表示を第３のコンピュータにさせるための新たな伝達情報を作成し、シャットダウンまたは休止を行う本体部と、
前記離席情報を表示する表示部と、
前記新たな伝達情報を含む無線信号を前記第３のコンピュータに向けて発信する送信部と、
を備える第１のコンピュータを、
含むことを特徴とするコンピュータ通信システム。
【０１２４】
（付記２）
無線信号が特定小電力無線であり、前記受信部、および、前記送信部が特定小電力無線に対応することを特徴とする付記１のコンピュータ通信システム。
【０１２５】
（付記３）
前記第２のコンピュータ、および、前記第３のコンピュータを含むことを特徴とする付記１、または、２のコンピュータ通信システム。
【０１２６】
（付記４）
前記第１のコンピュータまたは人に対応する離席表示をさせるための前記伝達情報を含む無線信号を前記第１のコンピュータに向けて発信する前記第１の電子キーを含むことを特徴とする付記１、または、２のコンピュータ通信システム。
【０１２７】
（付記５）
前記第１のコンピュータまたは人に対応する離席表示をさせるための前記伝達情報を含む無線信号を前記第１のコンピュータに向けて発信する前記第１の電子キーと、
前記第２のコンピュータまたはそれに対応する人に対応する離席表示をさせるための前記伝達情報を含む無線信号を前記第２のコンピュータに向けて発信する前記第２の電子キーと、
前記第３のコンピュータまたは人に対応する離席表示をさせるための前記伝達情報を含む無線信号を前記第３のコンピュータに向けて発信する前記第３の電子キーと、
を含むことを特徴とする付記３のコンピュータ通信システム。
【０１２８】
（付記６）
一定時間以上連続で押下されると前記伝達情報を含む無線信号を発信する１以上のボタンを備える前記第１の電子キーを含むことを特徴とする付記４のコンピュータ通信システム。
【０１２９】
（付記７）
一定時間以上連続で押下されると前記伝達情報を含む無線信号を発信する１以上のボタンを備える前記第１の電子キーと、
一定時間以上連続で押下されると前記伝達情報を含む無線信号を発信する１以上のボタンを備える前記第２の電子キーと、
一定時間以上連続で押下されると前記伝達情報を含む無線信号を発信する１以上のボタンを備える前記第３の電子キーと、
を含むことを特徴とする付記５のコンピュータ通信システム。
【０１３０】
（付記８）
第１の電子キー、または、第２のコンピュータから伝達情報を含む無線信号を受け取りバイナリデータに変換し、
前記バイナリデータの伝達情報に基づいて、指定されたコンピュータまたは人に対する離席情報を作成し、前記指定されたコンピュータまたは人に対する離席表示をさせるための新たな伝達情報を作成し、シャットダウンまたは休止を行い、
前記離席情報を表示し、
前記新たな伝達情報を含む無線信号を第３のコンピュータに向けて発信する、
ことを特徴とするコンピュータ通信方法。
【０１３１】
（付記９）
無線信号が特定小電力無線であり、受信、送信を特定小電力無線で行うことを特徴とする付記８のコンピュータ通信方法。
【０１３２】
（付記１０）
前記第１の電子キーが一定時間以上連続で押下されると前記伝達情報を含む無線信号を発信することを特徴とする付記８、または、９のコンピュータ通信方法。
【０１３３】
（付記１１）
電子キー、または、コンピュータからの伝達情報に基づいて、指定されたコンピュータまたは人に対する離席情報を作成し、前記指定されたコンピュータまたは人に対する離席表示をさせるための新たな伝達情報を作成し、シャットダウンまたは休止を行うことを特徴とするプログラム。
【０１３４】
（付記１２）
第１の他の電子装置から特定の電子機器に対応する動作元識別情報を含む無線信号を受け取り、前記情報元識別情報および付加情報を表示し、第２の他の電子装置に向けて前記動作元識別情報、および表示指示を含む第２の情報を含む無線信号を発信することを特徴とする電子機器。
【０１３５】
（付記１３）
第１の他のコンピュータ、または、周辺デバイスから、動作元となるコンピュータまたは人を識別するための識別情報を含む伝達情報を含む無線信号を受け取る受信部と、
前記伝達情報に含まれる識別情報に基づいて、前記動作元となるコンピュータまたは人に対する離席情報を作成し、前記動作元となるコンピュータまたは人に対する離席表示を、第２の他のコンピュータに対してさせるための情報を含む新たな伝達情報を作成し、シャットダウンまたは休止を行う本体部と、
前記離席情報を表示する表示部と、
前記新たな伝達情報を含む無線信号を前記第２の他のコンピュータに向けて発信する送信部と、
を備えるコンピュータ。
【符号の説明】
【０１３６】
０５０    電子機器
１００    コンピュータ通信システム
１１０    第１のコンピュータ
１１１    受信部
１１２    本体部
１１３    送信部
１１４    表示部
１２０    第２のコンピュータ
１３０    第３のコンピュータ
１４０    第４のコンピュータ
１５１    制御部
１６１    記憶部
１７１    送信部
１８１    ボタン
１８２    ボタン
１８３    ボタン
１９１    電子キー
１９２    電子キー
１９３    電子キー
１９４    電子キー
２００    コンピュータ通信システム
３００    コンピュータ通信システム
【図１】
0005211134.tif 000002
【図２】
0005211134.tif 000003
【図３】
0005211134.tif 000004
【図４】
0005211134.tif 000005
【図５】
0005211134.tif 000006
【図６】
0005211134.tif 000007
【図７】
0005211134.tif 000008
【図８】
0005211134.tif 000009
【図９】
0005211134.tif 000010
【図１０】
0005211134.tif 000011
【図１１】
0005211134.tif 000012
【図１２】
0005211134.tif 000013
【図１３】
0005211134.tif 000014